(57)【特許請求の範囲】
【請求項１】
前側に設けられた放出口が、弾性力の作用で閉状態に初期設定されるとともに、利用者の内容物放出操作に基づいてそれまでの閉状態から開状態へと移行するチップストップ機構において、
前記放出口にいたる直線状の下流側通路を構成する下流筒状部、容器本体側の出力部につながる上流側通路を構成する上流筒状部、当該下流側通路の後方延長部分が開口している周壁部および、上面開放域を備えたスパウトと、
前記下流側通路に移動可能な形で設けられて前記放出口に対する開閉動作を行う弁部材と、
前記スパウトの前記周壁部の開口部分に取り付けられて前記弁部材の後方露出部分側を支える周壁カバー体と、
前記周壁カバー体側に設けられて、前記弁部材を、前記放出口が閉状態となる前方向に付勢する弾性部材と、
前記スパウトの上面開放域に配されて、かつ、作動モードの設定操作にともないその一部が前記弁部材の後方露出部分に作用して当該弁部材を後方向に移動させる態様の操作部材と、
からなることを特徴とするチップストップ機構。
【請求項２】
前記弾性部材として、前記周壁カバー体に形成された第１の板バネを用いる、
ことを特徴とする請求項１記載のチップストップ機構。
【請求項３】
前記第１の板バネは、前記弁部材および前記周壁カバー体と一体成形されたものである、
ことを特徴とする請求項２記載のチップストップ機構。
【請求項４】
前記弾性部材として、前記周壁カバー体とは別体のコイルスプリングを用いる、
ことを特徴とする請求項１記載のチップストップ機構。
【請求項５】
前記操作部材として、回動タイプのものを用いる、
ことを特徴とする請求項１乃至４の何れかに記載のチップストップ機構。
【請求項６】
前記回動タイプの操作部材は、その回動基部が前記上面開放域の前側部分において前記スパウトと連結した態様で一体成形されている、
ことを特徴とする請求項５記載のチップストップ機構。
【請求項７】
前記操作部材として、上下動タイプのものを用いる、
ことを特徴とする請求項１乃至４の何れかに記載のチップストップ機構。
【請求項８】
前記上下動タイプの操作部材は、前記周壁部の内周面部分に形成された案内部にしたがって上下動する脚部および、前記下流筒状部の外周面にその上方から当接して作動モードの設定操作にともなう当該操作部材の下動時には自らの弾性力に抗する形で変位する第２の板バネを備えている、
ことを特徴とする請求項７記載のチップストップ機構。
【請求項９】
請求項１乃至８の何れかに記載のチップストップ機構を備え、かつ、容器本体内部に内容物を収容した、
ことを特徴とするポンプ式製品。
【請求項１０】
請求項１乃至８の何れかに記載のチップストップ機構を備え、かつ、容器本体内部に放出用ガスおよび内容物を収容した、
ことを特徴とするエアゾール式製品。
【発明の詳細な説明】
【技術分野】
【０００１】
本発明は、容器本体の内容物の放出操作終了時に放出口を閉塞して、その近くの通路域に残留する内容物が当該放出口から外部空間の方に漏出しないようにした、すなわちポンプ式容器におけるたれ（固化）やエアゾール式容器におけるアウタードローなどを防止するチップストップ機構や、このチップストップ機構を持つポンプ式製品およびエアゾール式製品に関する。【０００２】
本明細書においては容器内容物の放出口の側を「前」とし、それの反対側を「後」と記す。すなわち図１の左側方向が「前」で、右側方向が「後」となる。【０００３】
また、本明細書で用いる「ポンプ式」とは、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。【０００４】
適用対象の内容物には、例えば液状またはクリーム状の石けん，シャンプー，リンス，化粧品，乳液や、発泡性のシェービングフォーム，ヘアスタイリングフォームをはじめとして、後述のように各種のものがある。
【背景技術】
【０００５】
内容物のたれ防止やアウタードロー対策を積極的に図ったチップストップ機構としては、例えば下記の特許文献で開示のものがある。【０００６】
このチップストップ機構は、概略、
・操作ボタン（カバー）
・容器本体側のステムと一体化された内容物通過用のスパウト
・当該スパウトに取り付けられた横方向（≒操作ボタンの移動方向と直交する方向）仕様のノズル
・当該ノズルの内部空間に配設された弁部材（２ピース）
・当該弁部材を、ノズル先端側の放出口が閉塞される方向に付勢する弾性体
などの構成要素からなっている。【０００７】
ここで、操作ボタン内部には弁部材に対する作用片部が形成され、スパウト内部には弾性体の一方端部の受け部が形成されている。【０００８】
操作ボタン（カバー）は、弁部材後端側を塞ぐ形になっており、当該操作ボタンの操作により静止モードから作動モードに移行した段階では、当該操作中に前記作用片部を介して後退する弁部材後端側を受けて、これを保持している。なお、静止モードおよび、それから作動モードへ移行する途中では、弁部材の後端側が操作ボタン（カバー）の受け部分から離れている。【０００９】
そして、内容物の放出操作にともない弁部材が弾性体の付勢力に抗しながら後方向に移動することにより、内容物放出口が開放状態（作動モード）に設定される。【００１０】
また、内容物の放出操作を終了すると、弁部材は弾性体の付勢力によって初期状態、すなわち内容物放出口を塞いだ状態（＝静止モード）に復帰する。
【特許文献１】特開平２００１−１７１７６４号公報
【発明の開示】
【発明が解決しようとする課題】
【００１１】
このように、従来のチップストップ機構は、内容物の放出開始・放出終了に際しての応答性の点で使い勝手のよい機構になっている。【００１２】
ただ、鞘形状の操作ボタン（カバー）と、ノズル，弁部材およびスパウトなどとを一体化してチップストップ機構に組み立てる際には、例えば当該カバーを、横方向（上記前後方向）に延びた形のノズル，弁部材などの上側から縦方向（下方向）にいわば被せていくといった多少煩雑な作業が必要となる。なお、この一体化作業におけるカバーとノズル，弁部材などとの間の移動態様は、勿論、相対的なものである。【００１３】
そのため、カバーとノズル，弁部材などとの一体化作業をより効率的なものにできないか、また、当該一体化の際に、ノズルの前側突出部分がカバーを通過できるようにカバー前面に形成されている上下方向スリットを省略する（形成しない）ようにできないか、などの点で改善の余地を残したものになっている。【００１４】
本発明では、スパウトの上面部分および後側周壁部分のそれぞれを開口させた開放域を形成するとともに、当該スパウトの下流筒状部（＝外部空間への放出口にいたる下流側通路）における弁部材の後側部分を露出させて、この露出部分が、周壁開口部のカバー体（周壁カバー体）によって、前方への弾性力を受けた状態でその後方から保持されるものとし、また、スパウトの上面開放域に配される回動タイプや上下動タイプの操作部材を用いている。なお、ここでいう「スパウト」は上記ノズルを含む態様のものである。【００１５】
すなわち、後側周壁開口部にカバー体を取り付けない状態で、スパウトの下流筒状部にその背面側から弁部材を組み込めることができ、さらには作動モード設定用の上記各タイプの操作部材もそれぞれスパウト上面の開放域（凹状部）に取り付ければ良いようにして、チップストップ機構の組み立て作業の効率化・簡単化を図ることを目的とする。【００１６】
また、弁部材を前方に付勢する弾性体を周壁カバー体に板バネの態様で一体成形し、さらにはスパウトと回動タイプの操作部材とを一体成形するなどにより、チップストップ機構全体の部品点数を減らして、その組み立て作業の一層の効率化や製品のコストダウン化を図ることを目的とする。【００１７】
また、スパウト上面の開放域に取り付けられる上下動タイプの操作部材には、当該開放域を構成する周壁の内周面部分の例えば凹状部に案内される脚部や、スパウトの下流筒状部にその上方から当接する板バネを設けて、当該操作部材の押圧操作時および押圧操作解除時における当該操作部材自体の上下動のスムーズ化を図ることを目的とする。
【課題を解決するための手段】
【００１８】
本発明はこれらの課題を次のようにして解決する。
（１）前側に設けられた放出口（例えば後述の放出孔１ｈ，１１ｈ，２１ｈ，３１ｈ）が、弾性力の作用で閉状態に初期設定されるとともに、利用者の内容物放出操作に基づいてそれまでの閉状態から開状態へと移行するチップストップ機構において、
前記放出口にいたる直線状の下流側通路（例えば後述の前後方向通路１ｆ，１１ｆ，２１ｆ，３１ｆ）を構成する下流筒状部、容器本体側の出力部（例えば後述のステム５）につながる上流側通路（例えば後述の上下方向通路１ｅ，３１ｅ）を構成する上流筒状部、当該下流側通路の後方延長部分が開口している周壁部および、当該周壁部の内側に設定される上面開放域（例えば後述の開放域１ａ，１１ａ，２１ａ，３１ａ）を備えたスパウト（例えば後述のスパウト１，１１，２１，３１）と、
前記下流側通路に移動可能な形で設けられて前記放出口に対する開閉動作を行う弁部材（例えば後述のニードル弁２，１２，２２）と、
前記スパウトの前記周壁部の開口部分に取り付けられて前記弁部材の後方露出部分側を支える周壁カバー体（例えば後述の周壁後部カバー３，１３，２３）と、
前記周壁カバー体側に設けられて、前記弁部材を、前記放出口が閉状態となる前方向に付勢する弾性部材（例えば後述の板バネ３ｂ，２３ｂやコイルスプリング１５）と、
前記スパウトの上面開放域に配されて、かつ、作動モードの設定操作にともないその一部が前記弁部材の後方露出部分に作用して当該弁部材を後方向に移動させる態様の操作部材（例えば後述の操作レバー４，１４，２４，操作ボタン３４）と、
を備える。
（２）上記（１）において、
前記弾性部材として、前記周壁カバー体（例えば後述の周壁後部カバー３，２３）に形成された第１の板バネ（例えば後述の板バネ３ｂ，Ｕ字状の板バネ２３ｂ）を用いる。
（３）上記（２）において、
前記第１の板バネとして、前記弁部材（例えば後述のニードル弁２２）および前記周壁カバー体（例えば後述の周壁後部カバー２３）と一体成形されたもの（例えば後述のＵ字状の板バネ２３ｂ）を用いる。
（４）上記（１）において、
前記弾性部材として、前記周壁カバー体（例えば後述の周壁後部カバー１３）とは別体のコイルスプリング（例えば後述のコイルスプリング１５）を用いる。
（５）上記（１）〜（４）において、
前記操作部材として、回動タイプのもの（例えば後述の操作レバー４，１４，２４）を用いる。
（６）上記（５）において、
前記回動タイプの操作部材として、その回動基部（例えば後述のヒンジ状部２４ａ）が前記上面開放域（例えば後述の開放域２１ａ）の前側部分において前記スパウト（例えば後述のスパウト２１）と連結した態様で一体成形されたもの（例えば後述の操作レバー２４）を用いる。
（７）上記（１）〜（４）において、
前記操作部材として、上下動タイプのもの（例えば後述の操作ボタン３４）を用いる。
（８）上記（７）において、
前記上下動タイプの操作部材として、前記周壁部の内周面部分に形成された案内部（例えば後述の    ）にしたがって上下動する脚部（例えば後述の    ）および、前記下流筒状部の外周面（例えば後述の上側外周面３１ｇ）にその上方から当接して作動モードの設定操作にともなう当該操作部材の下動時には自らの弾性力に抗する形で変位する第２の板バネ（例えば後述の板バネ    ）を備えたものを用いる。【００１９】
本発明は、このような構成からなるチップストップ機構，当該チップストップ機構を備えたポンプ式製品および、当該チップストップ機構を備えたエアゾール式製品を対象としている。
【発明の効果】
【００２０】
本発明では、周壁開口部にカバー体を取り付けない状態で、スパウトの下流筒状部にその背面側から弁部材を組み込めることができ、さらには作動モード設定用の操作部材もその回動軸のみをスパウトの上面開口部に取り付ければ良いようにしているので、チップストップ機構の組み立て作業の効率化・簡単化を図ることができる。【００２１】
また、作動モード設定用操作部材をスパウトの周壁部の内側に設定される上面開口域に配しているので、従来の操作部材の場合にはいわば必然的な構成要素ともいえる、上述の上下方向スリットが不要となる。【００２２】
また、弁部材を前方に付勢する弾性体を周壁カバー体に板バネの態様で一体成形し、さらにはスパウトと回動タイプの操作部材とを一体成形のものにしているので、チップストップ機構全体の部品点数を減らして、その組み立て作業の一層の効率化や製品のコストダウン化を図ることができる。【００２３】
また、上下動タイプの操作部材には、スパウトの上面開放域を構成する周壁部の内周面部分に案内される脚部や、スパウトの下流筒状部にその上方から当接する板バネを設けているので、当該操作部材の押圧操作時および押圧操作解除時における当該操作部材自体の上下動のスムーズ化を図ることができる。
【図面の簡単な説明】
【００２４】
【図１】図１は、回動タイプの操作部材（その１）を用いたチップストップ機構の静止モードおよび作動モードにおける各断面状態を示す説明図であり、(a)は静止モードを示し、(b)は作動モードを示している。（実施例１）
【図２】図２は、図１のチップストップ機構の各構成要素（４個）の関連を示した説明図である。（実施例１）
【図３】図３は、回動タイプの操作部材（その２）を用いたチップストップ機構の各構成要素（５個）の関連を示した説明図である。（実施例２）
【図４】図４は、回動タイプの操作部材（その３）を用いたチップストップ機構の各構成要素（２個）の関連を示した説明図である。（実施例３）
【図５】図５は、上下動タイプの操作部材を用いたチップストップ機構の静止モードおよび作動モードにおける各断面状態を示す説明図であり、(a)は静止モードを示し、(b)は作動モードを示している。（実施例４）
【図６】図６は、図５のチップストップ機構の各構成要素（４個）の関連を示した説明図である。（実施例４）
【符号の説明】
【００２５】
以下のアルファベット付き参照番号の構成要素（例えば上下方向通路１ａ）は、それぞれアルファベットなし参照番号の構成要素（例えばスパウト１）の一部であることを示している。
【００２６】
また、１桁の参照番号（１〜５）は図１および図２で用い、
１０番台の参照番号（１１〜１５）は図３で用い、
２０番台の参照番号（２１〜２４）は図４で用い、
３０番台の参照番号（３１と３４）は図５および図６で用いている。
ただし、参照番号２，３は図５および図６でも用いる。
【００２７】
下記の１，１１，２１，３１およびそれぞれのアルファベット付き参照番号はいずれもスパウトに関するものである。
１，１１，２１，３１  後述の容器本体側のステム５に取り付けられた（嵌合した）スパウト
１ａ，１１ａ，２１ａ，３１ａ  当該スパウトの上面から後側周面にかけての凹状の開放域
１ｂ，１１ｂ  開放域１ａ，１１ａの前側周面に形成されて後述の操作レバー４、１４の回動軸を支持する一対の凹状部分
１ｃ，１１ｃ，２１ｃ，３１ｃ  開放域１ａ，１１ａ，２１ａ，３１ａの後側段部の起立面部分に形成されて後述の周壁後部カバー３，１３，２３を係合保持する一対の窪み部分
１ｄ，２１ｄ，３１ｄ  開放域１ａ，２１ａ，３１ａの後側段部前後方向の面部分に形成されて後述のニードル弁２，２２（下方凸状部２ｄ，２２ｄ）を案内する単一溝部分
１１ｄ  開放域１１ａの後側段部前後方向の面部分に形成されて後述のニードル弁１２（下方凸状部１２ｄ）を案内する一対の溝部分
１ｅ，３１ｅ  スパウト１，３１の内容物通過用空間域の上流側を構成する筒状の上下方向通路
１ｆ，１１ｆ，２１ｆ，３１ｆ  上下方向通路に続く下流側を構成する筒状の前後方向通路（ノズル相当部分）
１ｇ，１１ｇ，２１ｇ  前後方向通路１ｆ，１１ｆ，２１ｆを構成する筒状部の上側外周面（平面部分）
３１ｇ  前後方向通路３１ｆを構成する筒状部の上側外周面（曲面部分）
１ｈ，１１ｈ，２１ｈ，３１ｈ  前後方向通路１ｆ，１１ｆ，２１ｆの前端部分に形成された放出孔
２１ｊ，２１ｋ  組立後の後述の操作レバー２４をその静止モードと作動モードとの位置間で回動可能に保持するためのそれぞれ一対の案内凹状部
３１ｊ，３１ｋ  操作ボタン３４をその静止モードと作動モードとの位置間で上下動可能に保持するためのそれぞれ一対の案内凹状部
【００２８】
下記の２，１２，２２およびそれぞれのアルファベット付き参照番号はいずれもニードル弁に関するものである。
２，１２，２２  スパウト１，１１，２１，３１の前後方向通路１ｆ，１１ｆ，２１ｆ，３１ｆに入り込む形で配されたニードル弁（針状の弁）
２ａ，１２ａ，２２ａ  当該ニードル弁の先端に形成されて放出孔１ｈ，１１ｈ，２１ｈ，３１ｈの弁として作用する円錐状部分
２ｂ，１２ｂ，２２ｂ  前後方向通路１ｆ，１１ｆ，２１ｆ，３１ｆの内周面に密接して当該通路の内容物が後方側に漏れるのを防止する環状シール部
２ｃ  前後方向通路１ｆ，３１ｆから露出するニードル弁後側部分（当該環状シール部よりも後側の部分）に形成されて後述の板バネ３ｂと当接する一対のテーパ面
１２ｃは前後方向通路１１ｆから露出するニードル弁後側部分に形成されて後述のコイルスプリング１５の前端側を収容する鞘状部
２ｄ，２２ｄ  前後方向通路１ｆ，２１ｆ，３１ｆから露出するニードル弁後側部分に形成されてスパウト１，２１，３１の溝部分１ｄ，２１ｄ，３１ｄに倣いながら移動する単一の下方凸状部
１２ｄ  前後方向通路１１ｆから露出するニードル弁後側部分に形成されてスパウト１１の溝部分１１ｄに倣いながら移動する一対の下方凸状部
２ｅ，２２ｅ  下方凸状部２ｄ，２２ｄの上面部分に形成されて後述の操作レバー４，２４，操作ボタン３４の一部（単一の片部４ｂ，２４ｂ，３４ｂ）を受けることにより当該レバーや当該ボタンの動き（回動，下動）をニードル弁２，２２の前方向への直線移動に変換するテーパ面状の単一の受け部
１２ｅ  一対の下方凸状部１２ｄの各上面部分に形成されて後述の操作レバー１４の一部（一対の片部１４ｂ）を受けることにより当該レバーの動き（回動）をニードル弁１２の前方向への直線移動に変換するテーパ面状の一対の受け部
【００２９】
下記の３，１３，２３およびそれぞれのアルファベット付き参照番号はいずれも周壁後部カバーに関するものである。
３，１３，２３  周壁後部カバー
３ａ，１３ａ，２３ａ  組立後にスパウト１，１１，２１，３１の窪み部分１ｃ，１１ｃ，２１ｃ，３１ｃに係合保持される一対の脚部（テーパ面＋係合用段部）
３ｂ  同じく組立後にニードル弁２のテーパ面２ｃに当接して当該弁を前方向に付勢する一対の平面状の板ばね
２３ｂ  ニードル弁２２ｂおよび周壁後部カバー２３と一体成形されて当該弁を前方向に付勢する一対のＵ字状の板バネ
【００３０】
下記の４，１４，２４およびそれぞれのアルファベット付き参照番号はいずれも図１〜図４の操作レバーに関するものである。
４，１４，２４  回動タイプの操作レバー
４ａ，１４ａ  組立後にスパウト１，１１の凹状部分１ｂ，１１ｂに没入保持される一対の回動軸
２４ａ  スパウト２１と操作レバー２４との接続部分であって当該レバー操作時の回動基部となるヒンジ状部
４ｂ，２４ｂ  同じく組立後にニードル弁２，２２の受け部２ｅ，２２ｅと当接して操作レバー４，２４の回動操作時（作動モードの設定操作時）には当該弁を後方向に移動させることによりそれまでの放出孔１ｈ，２１ｈと円錐状部分２ａ，２２ａとの閉塞状態（静止モード）を解除するニードル弁駆動用の単一の片部
１４ｂ  同じようにして操作レバー１４の回動操作時にニードル弁１２を後方向に駆動する一対の片部
２４ｃ，２４ｄ  操作レバー２４の外周面の図示部分に形成されて、当該レバーを図示時計方向に回動させて組み立てた時に、スパウト２１の案内凹状部２１ｊ，２１ｋに回動操作可能な形で保持されるそれぞれ一対の片部（テーパ面＋係合用段部）
【００３１】
下記の３４およびそれぞれのアルファベット付き参照番号はいずれも図５および図６の操作ボタンに関するものである。
３４  上下動タイプの操作ボタン
３４ａ  先端側部分がスパウト３１の上側外周面(曲面部分）３１ｇに当接して、操作ボタン３４の作動モード設定（下動）にともない当該曲面部分に案内されて自らの弾性力に抗する形でそれぞれ外側に変位する一対の垂下状の板バネ
３４ｂ  組立後にニードル弁２の受け部２ｅと当接して操作ボタン３４の押下げ操作時（作動モードの設定操作時）には当該弁を後方向に移動させることによりそれまでの放出孔３１ｈと円錐状部分２ａとの閉塞状態（静止モード）を解除するニードル弁駆動用の単一の片部
３４ｃ，３４ｄ  操作ボタン３４の外周面の図示部分に形成されて、当該ボタンをスパウト３１の開放域３１ａにその上方から押し入れて組み込んだ時に、当該スパウトの案内凹状部３１ｊ，３１ｋに押下げ操作可能な形で保持されるそれぞれ一対の片部（テーパ面＋係合用段部）
【００３２】
その他の構成要素の参照番号として５，１５を用いる。
５  スパウト１，１１，２１，３１に嵌合して容器本体側に対する周知の弁機構要素（例えばポンプ式製品の場合は吐出弁、エアゾール式製品の場合は静止モードにおいて環状ラバーにより閉塞される内容物通過用孔部）を備えたステム
１５  ニードル弁１２の鞘状部１２ｃと周壁後部カバー１３の内周面との間に配されて当該弁を前方向に付勢するコイルスプリング
【００３３】
ここで、スパウト１，１１，２１，３１ニードル弁２，１２，２２，周壁後部カバー３，１３，２３，操作レバー４，１４，２４，操作ボタン３４およびステム５などは例えばポリプロピレン，ポリエチレン，ポリアセタール，ナイロン，ポリブチレンテレフタレートなどからなるプラスチック製のものであり、コイルスプリング１５は金属製またはプラスチック製のものである。
【００３４】
図示の各チップストップ機構(実施例１〜４）の基本的特徴は、概略、
(11)容器本体側のステム５に嵌合するいわばスパウト本体部分と、ニードル弁２，１２，２２を収納するノズル相当部分とを、一体成形物からなるスパウト１，１１，２１の態様で構成し、
(12)ニードル弁２，１２，２２や周壁後部カバー３，１３，２３をスパウト１，１１，２１に取り付けるに際して、当該スパウトの前後方向通路（ノズル相当部分）１ｆ，１１ｆ，２１ｆにその後方から当該ニードル弁を装填した上で、当該周壁後部カバー（図３の場合はコイルスプリング１５の前端側をニードル弁１２の鞘状部１２ｃに入れてから）を、同じく当該ニードル弁の後方から装着すればよい構造とし、
(13)操作レバー４，１４，２４はスパウト１，１１，２１の開放域１ａ，１１ａ，２１ａの部分に回動可能な態様で、また操作ボタン３４はスパウト３１の開放域３１ａの部分に上下動可能な態様で設けられており、静止モードではそれぞれの片部４，１４，２４，３４がニードル弁２，１２，２２のテーパ面状の受け部２ｅ，１２ｅ，２２ｅに当接した状態になっている、
ことなどである。
【００３５】
ここで、
(21)図１および図２のチップストップ機構の構成要素はスパウト１，ニードル弁２，［周壁後部カバー３＋板バネ３ｂ］，操作レバー４の「４個」であり、
(22)図３のチップストップ機構の構成要素はスパウト１１，ニードル弁１２，周壁後部カバー１３，操作レバー１４，コイルスプリング１５の「５個」であり，
(23)図４のチップストップ機構の構成要素は［スパウト２１＋操作レバー２４］，［ニードル弁２２＋周壁後部カバー２３＋板バネ２３］の「２個」であり、
(24)図５および図６のチップストップ機構の構成要素はスパウト３１，ニードル弁２，［周壁後部カバー３＋板バネ３ｂ］，操作ボタン３４の「４個」である。
【００３６】
なお、
図１および図２のスパウト１，ニードル弁２，［周壁後部カバー３＋板バネ３ｂ］，操作レバー４，
図３のスパウト１１，ニードル弁１２，周壁後部カバー１３，操作レバー１４，
図４の［スパウト２１＋操作レバー２４］および［ニードル弁２２＋周壁後部カバー２３＋板バネ２３］，
図５および図６のスパウト３１，ニードル弁２，［周壁後部カバー３＋板バネ３ｂ］，操作ボタン３４，
の計１２個の各構成要素は、何れも一体成形品である。
【実施例１】
【００３７】
図１，図２のチップストップ機構の組立て手順は例えば次のようになる。
(31)ニードル弁２を、スパウト１の前後方向通路１ｆに後方から装填する。
(32)このニードル弁装填後、周壁後部カバー３の一対の脚部３ａを、スパウト１の一対の窪み部分１ｃに後方から入れて係合させる。
(33)操作レバー４の一対の回動軸４ａを、スパウト１の前方側の一対の凹状部分１ｂに没入させる。
(34)スパウト１をステム５に嵌合させる。【００３８】
なお、周壁後部カバー３の一対の脚部３ａをスパウト１の窪み部分１ｃに入れる際、当該脚部はそれぞれ、先ず、そのテーパ面が当該窪み部分の後方のスパウト内周面に当接して自らの弾性力に抗する形で内側に少し変位しながら前方向に進む。そして、当該テーパ面の後端部（＝係合用段部への移行部）が窪み部分１ｃまで移動するとそれまでの内側への変位部分が弾性復帰して、脚部３ａの係合用段部が当該窪み部分１ｃに係止される。【００３９】
また、操作レバー４の一対の回動軸４ａをスパウト１の前方側の凹状部分１ｂに没入させる際にも、当該回動軸はそれぞれ、先ずスパウト周面に当接して自らの弾性力に抗する形で少し圧縮された状態となり、凹状部分１ｂまで進むとそれまでの圧縮部分が弾性復帰して当該凹状部分に保持される。【００４０】
上記(31)〜(34)の各作業の順番は、ニードル弁２の装填作業(31)が終ってから周壁後部カバー３の取付け作業(32)または操作レバー４の取付け作業(33)を行うという制約の下で、任意である。【００４１】
図１，図２の組立後のチップストップ機構（静止モード）の場合、
(41)ニードル弁２の下方凸状部２ｄがスパウト１の単一の溝部分１ｄに案内され、
(42)周壁後部カバー３の脚部３ａ（の係合用段部）がスパウト１の窪み部分１ｃに係合保持され、
(43)ニードル弁２は、そのテーパ面２ｃが周壁後部カバー３の板バネ３ｂの先端内面部分に当接して、当該板バネの弾性力により前方向に付勢され、
(44)この付勢作用により、スパウト１の放出孔１ｈはニードル弁２の円錐状部分２ａで閉塞され、
(45)操作レバー４は、その回動軸４ａがスパウトの凹状部分１ｂに支持されて、その片部４ｂの先端後側曲面部分をニードル弁２の受け部２ｅに当接させた、
状態になっている。【００４２】
このときの操作レバー４は、図１(a)に示されるようにスパウト１の上側外周面１ｇから離れて、その片部４ｂもニードル弁２の受け部２ｅにいわば乗っかっているだけにすぎない。【００４３】
そして、利用者が操作レバー４の上面を下方に押すと、先ず当該操作レバーはその回動軸４ａを中心にして図示の時計方向に回動し、当該操作レバーの一部である片部４ｂも同じ方向に回動する。【００４４】
この片部４ｂの回動にともない、ニードル弁２のテーパ面状の受け部２ｅに後方向への力が作用して、当該ニードル弁はそのテーパ面２ｃで一対の板バネ３ｂをそれぞれの付勢力に抗する形で外側に広げながら後方へ移動する。ニードル弁２の後退によりその円錐状部分２ａがスパウト１の放出孔１ｈから離間して、当該放出孔はそれまでの閉塞状態から開放状態へと移行する。【００４５】
この操作レバー４（片部４ｂ）の回動状態は、当該操作レバーの下面部分がスパウト１の上側外周面１ｇに当接するまで続く。【００４６】
そして、操作レバー４がスパウト１（上側外周面１ｇ）に当接すると、両者は一体となり、ステム５とともに、周知のステム付勢用のコイルスプリング（図示省略）の上方向への弾性力に抗しながら下動して、作動モードに移行する。すなわち、ステム５の下動により当該ステムの周知の弁作用部が開状態となって、容器に収納された内容物が「開状態の弁作用部−ステム５−スパウト１の上下方向通路１ｅ−前後方向通路１ｆ−放出孔１ｈ」を経て外部空間に流出する。【００４７】
なお、片部４ｂの回動にともなってニードル弁２のテーパ面状の受け部２ｅには下方向の力も作用するが、ニードル弁２（テーパ面２ｃ）に対する板バネ３ｂの付勢力はステム５に対するコイルスプリング（図示省略）の上方向への付勢力ほど強く設定されていないので、ニードル弁２が後退しないままスパウト１およびステム５が先に下方に移動することはない。【００４８】
作動モードの設定手段としては周知の機構、例えばポンプ式製品の場合は上流側の下方弁（吸込弁）を閉じて下流側の上方弁（吐出弁）を開く機構、またエアゾール式製品の場合はステムガスケットに対するステム孔部の位置をずらして当該孔部を連通状態にする機構を用いればよい。また、ステム付勢用の上述のコイルスプリングも周知である。【００４９】
利用者が操作レバー４の押圧をやめると、ステム５，スパウト１および（当該スパウトの上側外周面１ｇに当接したままの）当該操作レバーの全体が、ステム付勢用のコイルスプリング（図示省略）の作用により所定位置まで上動して当該ステムの弁作用部は閉状態となる。すなわち容器内容物の放出動作が終了する。【００５０】
この所定位置は、ステム５の静止モード位置であって、可動のステム側と固定の容器側との関連構造により一意に決まる。【００５１】
また、このステム５の静止モード位置への復帰動作とともに、周壁後部カバー３の板バネ３ｂの内側への復元作用により、ニードル弁２はそのテーパ面２ｃを介して前方向の力を受けて同方向に移動する。その結果、外部空間への放出孔１ｈが当該ニードル弁の円錐状部分２ａで閉塞されて、図１(a)の静止モードに復帰する。
【実施例２】
【００５２】
図３のチップストップ機構における各構成要素と図１，図２のそれとの主な相違点は次のとおりある。
(51)図１，図２の板バネ３ｂに代えてコイルスプリング１５を用いる。
(53)スパウト１１の後側平面部分に、ニードル弁１２の下方凸状部１２ｄをそれぞれ案内するための一対の溝部分１１ｄを形成している。
(52)ニードル弁１２の後端中央部分に、コイルスプリング１５を収容するための鞘状部１２ｃを形成している。
(54)ニードル弁１２の当該鞘状部の両側に、スパウト１１の溝部分１１ｄに案内される一対の下方凸状部１２ｄおよび操作レバー応動用の一対の受け部１２ｅを形成している。
(55)操作レバー１４に、ニードル弁１２の受け部１２ｅに当接する一対の片部１４ｂを形成している。【００５３】
また、チップストップ機構の組立手順における制約は、ニードル弁１２をスパウト１１の前後方向通路１１ｆに装填し、かつコイルスプリング１５をニードル弁１２の鞘状部１２ｃに入れてから、周壁後部カバー１３の脚部１３ａをそれぞれスパウト１１の窪み部１１ｃに取り付けることである。【００５４】
これら以外の、例えばスパウト１１，ニードル弁１２，周壁後部カバー１３，操作レバー１４およびステム（図示省略）などの各構成要素間の関連構造や、静止モードと作動モードとの切換え操作にともなうスパウト１１，ニードル弁１２および操作レバー１４の移動態様や、板バネ３ｂに代わるコイルスプリング１５の強さとステムの上方向付勢用コイルスプリング（図示省略）の強さとの関係などは、それぞれ図１および図２のチップストップ機構の場合と同様である。
【実施例３】
【００５５】
図４のチップストップ機構における各構成要素と図１，図２のそれとの主な相違点は次のとおりある。
(61)スパウト２１と操作レバー２４とが一体成形され、両部材は、操作レバー２４の回動基部となるヒンジ状部２４ａにより繋がっている。
(62)ニードル弁２２と周壁後部カバー２３とが一対のＵ字状板バネ２３ｂを介して一体成形されている。ニードル弁２２は、操作レバー２４の回動操作（作動モードの設定操作）に応じて、Ｕ字状板バネ２３ｂの後方への付勢力に抗する形で前方向に移動できる。
(63)操作レバー２４にはそれぞれ一対の突状片部２４ｃ，２４ｄ（テーパ面＋係合用段部）を形成し、スパウト２１には当該突状片部に対応したそれぞれ一対の案内凹状部２１ｊ，２１ｋを形成している。チップストップ機構の組立後の状態では、突状片部２４ｃ，２４ｄがそれぞれ案内凹状部２１ｊ，２１ｋに保持されている。なお、この組立後の保持状態において、突状片部２４ｃ，２４ｄは案内凹状部２１ｊ，２１ｋの中において移動（回動）可能であり、例えば静止モードのときには当該突状片部の係合用段部が当該案内凹状部の内面部分に係止される。【００５６】
また、チップストップ機構の組立手順における制約は、ニードル弁２２をスパウト２１の前後方向通路２１ｆに装填しながら周壁後部カバー２３の脚部２３ａをそれぞれスパウト２１の窪み部２１ｃに取り付けてから、図示の状態の操作レバー２４を時計方向に回動して、その突状片部２４ｃ，２４ｄがスパウト２１の案内凹状部２１ｊ，２１ｋに入り込んだ形にする、ことである。【００５７】
なお、操作レバー２４の突状片部２４ｃ，２４ｄをスパウト２１の案内凹状部２１ｊ，２１ｋに入れる過程では、周壁後部カバーの一対の脚部３ａ（１３ａ，２３ａ）をスパウトに取り付ける場合と同じように、突状片部２４ｃ，２４ｄのテーパ面がいったん変形してから元の状態に復帰する。【００５８】
すなわち、突状片部２４ｃ，２４ｄのテーパ面は、先ず案内凹状部２１ｊ，２１ｋが形成されていないスパウト内周面部分に当接してそれぞれ内側に変形する。そして、当該テーパ面は、その全体が案内凹状部２１ｊ，２１ｋに入り込むことにより元の形状に弾性復帰する。【００５９】
これら以外の、例えばスパウト２１，ニードル弁２２，周壁後部カバー２３，操作レバー２４およびステム（図示省略）などの各構成要素間の関連構造や、静止モードと作動モードとの切換え操作にともなうスパウト２１，ニードル弁２２および操作レバー２４の移動態様や、Ｕ字状板バネ２３ｂの強さとステムの上方向付勢用コイルスプリング（図示省略）の強さとの関係などは、それぞれ図１および図２のチップストップ機構の場合と同様である。
【実施例４】
【００６０】
図５，図６のチップストップ機構における各構成要素と図１，図２のそれとの主な相違点は次のとおりある。
(71)作動モード設定用の操作部材として、一対の垂下状の板バネ３４ａや一対の被案内用の片部（テーパ面＋係合用段部）３４ｃ，３４ｄを設けた上下動タイプの操作ボタン３４を用いている。
(72)スパウト３１の上側外周面３１ｇを曲面形状とし、操作ボタン３４の押下げ操作時に一対の板バネ３４が当該曲面にならって自らの弾性力に抗する形で外側に変位するようにし、また、操作ボタン４３の上下動時にその片部（テーパ面＋係合用段部）３４ｃ，３４ｄをそれぞれ個々にガイドするための案内凹状部３１ｊ，３１ｋを形成している。
(73)操作ボタン３４をスパウト３１の開放域３１ａにその上方から押し入れていくことにより両者を一対化している。【００６１】
この押入れ動作のとき、操作ボタン３４の片部（テーパ面＋係合用段部）３４ｃ，３４ｄは、それぞれ内側にいったん変形してからスパウト３１の案内凹状部３１ｊ，３１ｋに入り込むことにより元の状態に復帰する。【００６２】
すなわち、スパウト３１の案内凹状部３１ｊ，３１ｋの直上の周面部分から押し入れられていく片部３４ｃ，３４ｄは、先ずそれぞれのテーパ面が当該周面部分に当接することで（合成樹脂製のいくらかの自弾性力に抗しながら）全体として内側に変形し、続いて当該案内凹状部に入りこむことにより元の状態に弾性復帰する。この復帰状態では片部３４ｃ，３４ｄが案内凹状部３１ｊ，３１ｋに係止される。【００６３】
最終的に組み立てられた操作ボタン３４は、一対の板バネ３４ａが外側に少し変位するようにスパウト３１の上側外周面３１ｇと当接し、かつニードル弁駆動用の単一の片部３４ｂがニードル弁２の受け部２ｅと当接した状態になる。なお、一対の板バネ３４ａは操作ボタン３４の天井面の片部３４ｂを通る中心線に対して対称の位置に形成されている。【００６４】
このように操作ボタン３４は、静止モードにおいてその一対の板バネ３４ａおよび単一の片部３４ｂの部分でスパウト３１にバランスよく支持され、かつ、その片部３４ｃ，３４ｄの部分でスパウト３１の周方向に対していわば位置決めされている。また、予め一対の板バネ３４ａを外側に少し変位した状態にしているので、操作ボタン３はその板バネ３４ａの弾性力で上方に付勢され無駄ながたつきを生じない。【００６５】
ここで操作ボタン３４は押圧されると、その片部３４ｃ，３４ｄがスパウト３１の案内凹状部３１ｊ，３１ｋにガイドされながら下方に移動する。【００６６】
この操作ボタンの下方への移動にともない、図１〜図４の各操作レバーの場合と同じように、
(81)先ず操作ボタン３４の天井面がスパウト３１の上側外周面３１ｇに当接する（このとき一対の板バネ３４ａは当該上側外周面に倣って外側に変形していく）までは、当該操作ボタンの単一の片部３４ｂがニードル弁２の受け部２ｅに作用することにより、当該ニードル弁を板バネ３ｂの自弾性力に抗する形で後方に駆動して円錐状部分２ａによるそれまでの放出孔３１ｈの閉塞状態を解除し、
(82)この天井面が上側外周面３１ｇに当接した後（図５(b)参照）は、操作ボタン３４といわば一体化したスパウト３１が下方に移動して周知のステム弁機構（図示省略）を開状態とし、
(83)その結果、容器に収納されている内容物が図５(b)に示すように「ステム５−スパウト３１の上下方向通路３１ｇ−スパウト３１の前後方向通路３１ｆ−放出孔３１ｈ」を経て外部空間に放出される。すなわち作動モードに設定される。【００６７】
なお、操作ボタン３４の押下げ操作時にスパウト３１の上側外周面３１ｇに倣って外側に変形する一対の板バネ３４ａの弾性力は、ニードル弁付勢用の板バネ３ｂと同じように、ステム付勢用の周知のコイルスプリング（図示省略）のそれよりも十分小さな値に設定されている。【００６８】
そして利用者が操作ボタン３４の押圧（作動モード）を解除すると、
(91)先ず上記コイルスプリングの作用によりスパウト３１が静止モード位置に復帰し（このとき操作ボタン３４は当該スパウトの上側外周面３１ｇに略当接したまま、すなわちニードル弁２は後退して放出孔３１ｈが開いたままである）、
(92)続いてニードル弁２は一対の板バネ３ｂのテーパ面２ｃに対する弾性力により前方向に復帰する。これにともなって操作ボタン３４は、一対の板バネ３４ａの弾性力と、ニードル弁２の受け部２ｅが片部３４ｂに作用する力との、二箇所に作用する力により上方向垂直に復帰して、静止モードに移行する。【００６９】
図５および図６のチップストップ機構の組立手順における制約は、ニードル弁２２をスパウト３１の前後方向通路３１ｆに装填してから、操作ボタン３４および周壁後部カバー３を当該スパウトに取り付けることである。【００７０】
これ以外の、例えばスパウト３１，ニードル弁２，周壁後部カバー３およびステム（図示省略）などの各構成要素間の関連構造や、静止モードと作動モードとの切換え操作にともなうスパウト３１およびニードル弁２の移動態様などは、それぞれ図１および図２のチップストップ機構の場合と同様である。【００７１】
図４のスパウト２１および操作レバー２４を図１，図２のスパウト１および操作レバー４に置き換えた態様のチップストップ機構や、図４のニードル弁２２および周壁後部カバー２３を図１，図２のニードル弁２および周壁後部カバー３に置き換えた態様のチップストップ機構を用いるようにしてもよい。【００７２】
また、図１，図２のチップストップ機構におけるスパウト１と操作レバー４との一体化や、図３のチップストップ機構におけるスパウト１１と操作レバー１４との一体化の手段として、図４のスパウト２１および操作レバー２４の一体成形手法を用いるようにしてもよい。【００７３】
また、図５および図６のチップストップ機構の（ニードル弁駆動用の）片部３４ｂ，ニードル弁２，周壁後部カバー３に代えて、図３や図４の対応する各構成要素を適宜用いる、さらには組み合わせて用いるようにしてもよい。
【実施例５】
【００７４】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。【００７５】
容器本体に収納する内容物は、例えば油成分，アルコール類，界面活性剤，高分子化合物，粉状物，各用途に応じた有効成分などである。【００７６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。【００７７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。【００７８】
アルコール類としては、エタノールなどの１価の低級アルコール，ラウリルアルコールなどの１価の高級アルコール，エチレングリコールなどの多価アルコールなどを用いる。【００７９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。【００８０】
高分子化合物としては、メチルセルロース，ゼラチン，デンプン，カゼインなどを用いる。【００８１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。【００８２】
さらに、上記内容物以外の、懸濁剤，紫外線吸収剤，乳化剤，保湿剤，酸化防止剤、金属イオン封鎖剤なども用いることができる。【００８３】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図１】
0004724852.tif 000002
【図２】
0004724852.tif 000003
【図３】
0004724852.tif 000004
【図４】
0004724852.tif 000005
【図５】
0004724852.tif 000006
【図６】
0004724852.tif 000007